(57)【要約】【課題】  使用中又は休眠時においても液漏れ検査を適宜行うことによって、配管からの液漏れを早期に発見し、建築物を長きにわたって事故無く快適に使用するための配管保守支援機器及び配管保守支援システムの提供。【解決手段】  供給配管Ａを流通する流体の圧力を測定する圧力計２と、流体の供給を目的とする供給配管Ａに介在し、当該供給配管Ａの流路を、当該供給配管Ａの目的路たる送液路βと流体を前記圧力計２へ送る検圧路αに分岐させる導液管１と、前記導液管１の送液路βを開閉し前記検圧路αを確保する分流器４を備えることを特徴とする配管保守支援機器及び配管保守支援システム。【選択図】      図１
2019012001.tif 000002
【特許請求の範囲】
【請求項１】
供給配管を流通する流体の圧力を測定する圧力計と、
流体の供給を目的とする供給配管に介在し、当該供給配管の流路を、当該供給配管の目的路たる送液路と流体を前記圧力計へ送る検圧路に分岐させる導液管と、
前記導液管の送液路を開閉し前記検圧路を確保する分流器を備えることを特徴とする配管保守支援機器。
【請求項２】
前記検圧路を開閉する開閉器を備えることを特徴とする請求項１に記載の配管保守支援機器。
【請求項３】
供給配管に、請求項１乃至請求項２のいずれかに記載の配管保守支援機器の導液管を接続してなることを特徴とする配管保守支援システム。
【発明の詳細な説明】
【技術分野】
【０００１】
本発明は、例えば、既設の配管について水漏れなどの存在を目視可能とする配管保守支援機器及び配管保守支援システムに関するものである。
【背景技術】
【０００２】
地震が多い地域では、それが比較的小さい揺れであっても、度重なる揺れに見舞われることによって建築物やその配管設備が損傷し、居住者が気づかないうちに水漏れが継続し多大なコストを支出する事例が少なくない。
近年では、アパート若しくはマンションの空き部屋又は空き家や古民家のなど、放置されている部屋や建築物の存在が問題となっているところ、使用されていないそれらの物件について配管の状態を正確に把握することは極めて困難であり、それを怠れば、水漏れによる家屋の損傷や無駄な費用の支出を招来する。
【０００３】
従来、配管の水道圧を測定する手法が種々紹介されているが（例えば下記特許文献参照）、これらは、竣工直後の配管に一定の水圧を加える回路を設け、検査用水を導入して水圧を計測する手法（下記特許文献１乃至特許文献３参照）であり、又は、水栓の蛇口側に計器を装着して動水圧を測定する手法である。
【先行技術文献】
【特許文献】
【０００４】
【特許文献１】実開平０３−０５０６５３号公報
【特許文献２】特開平０３−１９５９３６号公報
【特許文献３】特開平１１−２９５１８０号公報
【特許文献４】特開２０００−１４６７３７号公報
【特許文献５】特開２００２−１５６３００号公報
【発明の概要】
【発明が解決しようとする課題】
【０００５】
しかしながら、前者では、既設の配管の実用静水圧を測定することはできず、後者は、止水栓の逆流防止弁等の存在により正確な静水圧の測定ができず、いずれも放置されている建築資源の保守に活用することはできないという問題がある。
【０００６】
本発明は、上記実情に鑑みてなされたものであって、使用中又は休眠時においても漏水検査を適宜行うことによって、配管からの漏水を早期に発見し、建築物を長きにわたって事故無く快適に使用するための配管保守支援機器及び配管保守支援システムの提供を目的とする。
【課題を解決するための手段】
【０００７】
上記課題を解決するためになされた本発明による配管保守支援機器は、供給配管を流通する流体の圧力を測定する圧力計と、流体の供給を目的とする供給配管に介在し、当該供給配管の流路を、当該供給配管の目的路たる送液路と流体を前記圧力計へ送る検圧路に分岐させる導液管と、前記導液管の送液路を開閉し前記検圧路を確保する分流器を備えることを特徴とする。
尚、前記目的路は、前記供給配管本来の目的を果たす流路である。
前記配管保守支援機器は、流体前記検圧路を開閉する開閉器を備える構成を採ることもできる。
【０００８】
上記課題を解決するためになされた本発明による配管保守支援システムは、供給配管に、上記配管保守支援機器のいずれかの導液管を接続してなることを特徴とする。
【発明の効果】
【０００９】
本発明による配管保守支援機器及び配管保守支援システムによれば、例えば、建築物の老朽化や地震による故障に伴う上水道設備の漏水等の検査を行うについて、従来の様に、専ら竣工時及び改修時においてのみ行われ、それ以外では行われないということはなくなり、使用中又は休眠時においても漏水検査を適宜容易に行うことができることとなる。
これによって、配管からの漏水を早期に発見し、早期に修復し、貴重な建築物資源を長きにわたって事故無く良好な品質で使用することができる。
【図面の簡単な説明】
【００１０】
【図１】本発明による配管保守支援機器の一例を示す正面図である。
【図２】本発明による配管保守支援機器及び配管保守支援システムの実施態様例を示す側面図である。
【図３】本発明による配管保守支援機器の分流器の一例を示した分解図である。
【図４】本発明による配管保守支援機器の分流器及び導液管の一例を示す一部切欠した正面図（図２とは導液管の向きが相違）である。
【図５】本発明による配管保守支援機器の開閉器の一例を示す斜視図、側面図及び正面図である。
【図６】本発明による配管保守支援機器の開閉器の一例を示す一部切欠した正面図である。
【発明を実施するための形態】
【００１１】
以下、本発明による配管保守支援機器及び配管保守支援システムの実施の形態を図面に基づき詳細に説明する。
図２は、本発明による配管保守支援システムの一例である。
この配管保守支援システムは、一般家屋の生活用水の供給を目的とする上水道の配管若しくは井戸水の給水配管又は給湯配管などを供給配管Ａとした例であって、その供給配管Ａの一部に、その仕様に合わせて、前記配管保守支援機器を連結したものである。
【００１２】
図１に示す例に連結される配管保守支援機器は、生活用水の供給を目的とする供給配管Ａに介在する導水管（導液管）１と、当該導水管１に直結する分流器４と、前記当該導水管１を流通する生活用水の静圧力を測定する圧力計２と、当該圧力計２へ前記分流器４から導水管１を流通する生活水を供給し又は遮断する開閉器３を備える。
【００１３】
この例は、台所のシンクや洗濯機等への生活用水の供給を目的とする蛇口又は止水栓（以下「止水栓等」という」）が付された供給配管Ａの一部を前記導水管１として利用できる例である。
この例の前記導水管１は、前記導水管１の内部で長手方向に隔された吐水室１０及び給水室１１を備え、当該導水管１の中間部に、前記吐水室１０と給水室１１を仕切る隔壁９を備え、当該隔壁９に前記吐水室１０と給水室１１を連通させる連通孔２１を備える。
前記隔壁９は、当該導水管１の側方に面し前記連通孔２１を閉鎖した際の気密性を確保する圧着面を備える（図２及び図４参照）。
【００１４】
この例の前記分流器４は、前記供給配管Ａを流れる生活水を前記導水管１から前記圧力計２へ導く検圧路αと、前記供給配管Ａを流れる生活水を前記導水管１の他端へ送る送水路βを構成する。
この例の分流器４は、前記供給配管Ａを開閉するスピンドル５と、当該スピンドル５を支持し当該スピンドル５の回転に応じて進退させる軸受け容器７を備える（図３参照）。
【００１５】
この例のスピンドル５は、その上部にハンドル６を備え、内空部の上端が封じられた中空棒であって、その最下位に、前記導水管１の内部で上下に配置された吐水室１０−給水室１１間の前記連通孔２１を開閉するコマパッキング１２を備え、その中間部に、前記軸受け容器７のネジ孔に螺合するネジ山１３及び双方を仕切る気密手段（図示省略）を備え、前記ハンドル６と前記ネジ山１３との間の側壁に、当該スピンドル５の中空部１４から前記検圧口１５へ通じる流通孔１６を備える（図４参照）。
【００１６】
この例は、前記止水栓等のハンドル部に螺合されたカバーナット８を外して前記分流器４を接続し、前記止水栓等のスピンドル及びハンドルとして、前記分流器４のスピンドル５及びハンドル６を適用する形で、当該供給配管Ａに介在する導水管１と一体化させる。
上記一体化を実現するために、この例の前記スピンドル５は、一般的な止水栓等のスピンドルとの互換性を有する構造とし、前記分流器４の容器は、既存の規格に適合した止水栓等の前記カバーナット８のネジ山と螺合する袋ナットで連結する。
【００１７】
前記分流器４は、以上のごとく構成され、前記供給配管Ａに直結する前記導水管１（給水室１１）と前記検圧路αは、前記スピンドル５の中空部１４及び流通孔１６を介して常時連通し、前記導水管１の給水室１１と吐水室１０を結ぶ前記送水路βは、前記スピンドル５のハンドル操作で生じる当該スピンドル５のネジ対偶によって開閉する（図４参照）。
【００１８】
この例に連結される前記開閉器３は、ゲートバルブ構造を採り、円盤状の弁体１７と、当該弁体１７を収納する弁箱１８と、当該弁箱１８に支持され、ハンドル２０の回転で前記弁体１７を進退させるスピンドル１９を備える。
上記構成により、前記弁箱１８に収納された弁体１７が流路に対して直角に移動し、流路を仕切る楔として進退することにより、前記圧力計２へ至る検圧路αの開閉を行う。
【００１９】
この例の配管保守支援機器及び配管保守支援システムは、以上の如く構成され、前記圧力計２に至る検圧路αへは、前記供給配管Ａの水圧が常時加わることとなる。
静水圧を測定する際には、当該供給配管Ａに接続されている全ての蛇口及び水道メーターの止水栓を閉めた上で、前記圧力計２の表示を読み評価する。
この様に、日常生活において、前記供給配管Ａの漏水の有無を容易に確認することができるため、例えば、地震後の配管損傷の有無、家屋や部屋の長期放置に伴う配管の老朽劣化の有無を容易に知ることができる。
しかも、この例の配管保守支援機器の前記供給配管Ａへの接続は比較的容易であり、その送水路βの開閉も前記分流器４のスピンドル５の操作により妨げられることはない。
【００２０】
前記圧力計２は、前記供給配管Ａを流通する流体の圧力の数量を指針で指示するもの、当該圧力の数量をデジタル表示するもの、当該圧力の変化を指針で支持するもの、当該圧力の変化をデジタル表示するものなど、居住者の属性や好み等に応じて適宜変更することができる。
更に、前記圧力の数量の異常や変化量の異常を検出し、より認識が容易な注意表示、音若しくは光などの警報を出力し、又は携帯端末装置等へ当該異常を通報する報知手段を備える構成を採ることができる。
【符号の説明】
【００２１】
Ａ  供給配管，
α  検圧路，β  送水路，
１  導水管、２  圧力計、３  開閉器，４  分流器，
６  ハンドル，７  軸受け容器，８  カバーナット，
９  隔壁，１０  吐水室，１１  給水室，
１２  コマパッキング，１３  ネジ山，１４  中空部，
１５  検圧口，１６  流通孔，
１７  弁体，１８  弁箱，１９  スピンドル，２０  ハンドル，２１  連通孔，
【図１】
2019012001.tif 000003
【図２】
2019012001.tif 000004
【図３】
2019012001.tif 000005
【図４】
2019012001.tif 000006
【図５】
2019012001.tif 000007
【図６】
2019012001.tif 000008